(57)【特許請求の範囲】
【請求項１】
所定の場所における災害の発生を認識する災害発生認識手段と、
前記災害発生認識手段によって前記災害の発生が認識された場合に前記場所に設置された全ての照明機器を点灯させる機器制御手段と、
人の存在を認識する人存在認識手段を備え、
前記機器制御手段は、
前記場所に設定された全ての照明機器を点灯させた後、前記人存在認識手段によって前記人の存在が認識された地点から前記場所の所定の出口までの経路上に設置された照明機器を除いて前記場所に設置された前記照明機器を消灯させることを特徴とする照明制御サーバ。
【請求項２】
前記人存在認識手段によって前記場所における前記人の存在が認識されないときに前記場所への電気の供給をブレーカに停止させるブレーカ作動手段を備えたことを特徴とする請求項１に記載の照明制御サーバ。
【請求項３】
所定の場所から離隔して設置されて前記場所における災害の発生を通知する災害発生通知サーバと、
前記場所における照明機器を制御する照明制御サーバとを備え、
前記照明制御サーバは、
前記災害の発生の通知を前記災害発生通知サーバから受信する受信手段と、
前記受信手段によって受信された前記通知に基づいて前記場所における災害の発生を認識する災害発生認識手段と、
前記災害発生認識手段によって前記災害の発生が認識された場合に前記場所に設置された全ての照明機器を点灯させる機器制御手段と、
人の存在を認識する人存在認識手段とを備え、
前記機器制御手段は、
前記場所に設置された全ての照明機器を点灯させた後、前記人存在認識手段によって前記人の存在が認識された地点から前記場所の所定の出口までの経路上に設置された照明機器を除いて前記場所に設置された前記照明機器を消灯させることを特徴とする災害時照明制御システム。
【請求項４】
前記照明制御サーバは、
前記人存在認識手段によって前記場所における前記人の存在が認識されないときに前記場所への電気の供給をブレーカに停止させるブレーカ作動手段を備えたことを特徴とする請求項３に記載の災害時照明制御システム。
【請求項５】
所定の場所における災害の発生を認識する災害発生認識ステップと、
前記災害発生認識ステップによって前記災害の発生が認識された場合に前記場所に設置された全ての照明機器を点灯させる機器制御ステップと、
人の存在を認識する人存在認識ステップを備え、
前記機器制御ステップは、
前記場所に設置された全ての照明機器を点灯させた後、前記人存在認識ステップによって前記人の存在が認識された地点から前記場所の所定の出口までの経路上に設置された照明機器を除いて前記場所に設置された前記照明機器を消灯させることを特徴とする照明制御方法。
【請求項６】
前記人存在認識ステップによって前記場所における前記人の存在が認識されないときに前記場所への電気の供給をブレーカに停止させるブレーカ作動ステップを備えたことを特徴とする請求項５に記載の照明制御方法。
【発明の詳細な説明】
【技術分野】
【０００１】
本発明は、災害時に家やビル等において照明機器を制御する照明制御サーバ、災害時照明制御システム及び照明制御方法に関する。
【背景技術】
【０００２】
従来、地震を観測する方法が知られている（例えば、特許文献１参照）。
【特許文献１】特開平１１−２７１４６５号公報
【発明の開示】
【発明が解決しようとする課題】
【０００３】
しかしながら、地震を観測したとしても、夜に地震が発生した場合等のように建物内が暗い場合には建物内の人が建物外に逃げることは困難である。したがって、建物内が暗い場合には人が照明機器を点ける必要があるが、建物内が暗いので、人が照明機器のスイッチを見つけること自体が困難である。特に、人が災害によって動揺している場合には、人が照明機器のスイッチを見つけることは、更に困難となる。
【０００４】
本発明は、従来の問題を解決するためになされたもので、災害時に人に迅速で安全な避難をさせることができる照明制御サーバ、災害時照明制御システム及び照明制御方法を提供することを目的とする。
【課題を解決するための手段】
【０００５】
本発明の照明制御サーバは、所定の場所における災害の発生を認識する災害発生認識手段と、前記災害発生認識手段によって前記災害の発生が認識された場合に前記場所に設置された全ての照明機器を点灯させる機器制御手段と、人の存在を認識する人存在認識手段を備え、前記機器制御手段は、前記場所に設定された全ての照明機器を点灯させた後、前記人存在認識手段によって前記人の存在が認識された地点から前記場所の所定の出口までの経路上に設置された照明機器を除いて前記場所に設置された前記照明機器を消灯させる構成を有している。
【０００６】
この構成により、本発明の照明制御サーバは、災害時に全ての照明機器を点灯させ、人の存在が認識された地点から出口までの経路上に設置された照明機器を除いて照明機器を消灯させるので、点灯している照明機器によって出口までの経路を人に明確に認識させ、人に迅速で安全な避難をさせることができる。
【０００９】
また、本発明の照明制御サーバは、前記人存在認識手段によって前記場所における前記人の存在が認識されないときに前記場所への電気の供給をブレーカに停止させるブレーカ作動手段を備えた構成を有している。
【００１０】
この構成により、本発明の照明制御サーバは、人の存在が認識されないときに電気の供給をブレーカに停止させるので、災害時に漏電火災等による被害の拡大を防止することができる。
【００１８】
また、本発明の災害時照明制御システムは、所定の場所から離隔して設置されて前記場所における災害の発生を通知する災害発生通知サーバと、前記場所における照明機器を制御する照明制御サーバとを備え、前記照明制御サーバは、前記災害の発生の通知を前記災害発生通知サーバから受信する受信手段と、前記受信手段によって受信された前記通知に基づいて前記場所における災害の発生を認識する災害発生認識手段と、前記災害発生認識手段によって前記災害の発生が認識された場合に前記場所に設置された全ての照明機器を点灯させる機器制御手段と、人の存在を認識する人存在認識手段とを備え、前記機器制御手段は、前記場所に設置された全ての照明機器を点灯させた後、前記人存在認識手段によって前記人の存在が認識された地点から前記場所の所定の出口までの経路上に設置された照明機器を除いて前記場所に設置された前記照明機器を消灯させる構成を有している。
【００１９】
この構成により、本発明の災害時照明制御システムは、災害時に全ての照明機器を点灯させ、人の存在が認識された地点から出口までの経路上に設置された照明機器を除いて照明機器を消灯させるので、点灯している照明機器によって出口までの経路を人に明確に認識させ、人に迅速で安全な避難をさせることができる。
【００２０】
また、本発明の災害時照明制御システムの前記照明制御サーバは、前記人存在認識手段によって前記場所における前記人の存在が認識されないときに前記場所への電気の供給をブレーカに停止させるブレーカ作動手段を備えた構成を有している。
【００２１】
この構成により、本発明の災害時照明制御システムは、人の存在が認識されないときに電気の供給をブレーカに停止させるので、災害時に漏電火災等による被害の拡大を防止することができる。
【００２２】
また、本発明の照明制御方法は、所定の場所における災害の発生を認識する災害発生認識ステップと、前記災害発生認識ステップによって前記災害の発生が認識された場合に前記場所に設置された全ての照明機器を点灯させる機器制御ステップと、人の存在を認識する人存在認識ステップを備え、前記機器制御ステップは、前記場所に設置された全ての照明機器を点灯させた後、前記人存在認識ステップによって前記人の存在が認識された地点から前記場所の所定の出口までの経路上に設置された照明機器を除いて前記場所に設置された前記照明機器を消灯させる構成を有している。
【００２３】
この構成により、本発明の照明制御方法は、災害時に全ての照明機器を点灯させ、人の存在が認識された地点から出口までの経路上に設置された照明機器を除いて照明機器を消灯させるので、点灯している照明機器によって出口までの経路を人に明確に認識させ、人に迅速で安全な避難をさせることができる。
【００２４】
また、本発明の照明制御方法は、前記人存在認識ステップによって前記場所における前記人の存在が認識されないときに前記場所への電気の供給をブレーカに停止させるブレーカ作動ステップを備えた構成を有している。
【００２５】
この構成により、本発明の照明制御方法は、人の存在が認識されないときに電気の供給をブレーカに停止させるので、災害時に漏電火災等による被害の拡大を防止することができる。
【発明の効果】
【００２６】
本発明は、災害時に人に迅速で安全な避難をさせることができる照明制御サーバ、災害時照明制御システム及び照明制御方法を提供することができる。
【発明を実施するための最良の形態】
【００２７】
以下、本発明の実施の形態について、図面を用いて説明する。
【００２８】
（第１の実施の形態）
まず、第１の実施の形態に係る災害時照明制御システムの構成について説明する。
【００２９】
図１に示すように、本実施の形態に係る災害時照明制御システムとしての地震時照明制御システム１０は、複数の部屋７１を備えた家やビル等の建物７０から離隔して設置されて建物７０における地震の発生を通知する災害発生通知サーバとしての地震発生通知サーバ２０と、ネットワーク１１を介して地震発生通知サーバ２０と通信可能であって建物７０に設置されて建物７０における照明機器を制御する照明制御サーバ３０と、各部屋７１に設置されて各部屋７１における人の存在を検出する人感センサ４１と、各部屋７１に設置された照明機器５１と、建物７０に設置されて建物７０への電気の供給を停止させるブレーカ６１とを備えている。
【００３０】
ここで、地震発生通知サーバ２０は、地震波のうちＰ波の発生を検知することによって地震の発生を検知するようになっている。
【００３１】
また、照明制御サーバ３０は、地震発生通知サーバ２０からネットワーク１１を介して地震の発生の通知を受信するようになっており、受信手段を構成している。また、照明制御サーバ３０は、地震発生通知サーバ２０から受信した通知に基づいて建物７０における地震の発生を認識するようになっており、災害発生認識手段を構成している。
【００３２】
また、照明制御サーバ３０は、人感センサ４１の検出結果に基づいて各部屋７１における人の存在を認識するようになっており、人存在認識手段を構成している。
【００３３】
また、照明制御サーバ３０は、地震の発生を認識した場合に全ての部屋７１に設置された照明機器５１を点灯させ、全ての部屋７１に設置された照明機器５１を点灯させた後、人の存在を認識した地点から建物７０の所定の出口までの経路上の部屋７１に設置された照明機器５１を除いて建物７０に設置された照明機器５１を消灯させるようになっており、機器制御手段を構成している。
【００３４】
また、照明制御サーバ３０は、地震の発生を認識した場合であって全ての部屋７１において人の存在を認識しないときに建物７０への電気の供給をブレーカ６１に停止させるようになっており、ブレーカ作動手段を構成している。
【００３５】
なお、照明制御サーバ３０は、ブレーカ６１と一体化されていても良い。
【００３６】
次に、地震時照明制御システム１０の動作について説明する。
【００３７】
地震の発生によってＰ波が発生すると、地震発生通知サーバ２０は、Ｐ波の発生を検知することによって地震の発生を検知し、地震の発生をネットワーク１１を介して照明制御サーバ３０に通知する。
【００３８】
照明制御サーバ３０は、図２に示すように、建物７０における地震の発生を認識するまで建物７０における地震の発生を認識したか否かを判断しており（Ｓ８１）、地震発生通知サーバ２０からネットワーク１１を介して地震の発生の通知を受信することによって建物７０における地震の発生を認識すると、建物７０における地震の発生を認識したとＳ８１において判断し、全ての部屋７１の照明機器５１を点灯させる（Ｓ８２）。
【００３９】
次いで、照明制御サーバ３０は、人が存在する部屋７１があるか否かを判断する（Ｓ８３）。
【００４０】
照明制御サーバ３０は、人が存在する部屋７１があるとＳ８３において判断すると、人の存在を認識した地点から建物７０の所定の出口までの経路上の部屋７１に設置された照明機器５１を除いて建物７０に設置された照明機器５１を消灯させ（Ｓ８４）、Ｓ８３に戻る。
【００４１】
照明制御サーバ３０は、人が存在する部屋７１がないとＳ８３において判断すると、建物７０への電気の供給をブレーカ６１に停止させて（Ｓ８５）、処理を終了する。
【００４２】
なお、照明制御サーバ３０は、ブレーカ６１を介して電源から電気が供給されている場合、建物７０への電気の供給がブレーカ６１によって停止させられることによって動作不能になるが、ブレーカ６１を介して電気を供給する電源とは別の電源から電気が供給されている場合、建物７０への電気の供給がブレーカ６１によって停止させられたとしても動作を継続することができる。
【００４３】
以上に説明したように、地震時照明制御システム１０は、地震時に全ての部屋７１の照明機器５１を点灯させるので、照明機器５１の明かりによって人に迅速で安全な避難をさせることができる。
【００４４】
また、照明制御サーバ３０は、出口までの経路上の部屋７１に設置された照明機器５１を除いて建物７０内の照明機器５１を消灯させるので、点灯している照明機器５１によって出口までの経路を人に明確に認識させることができる。
【００４５】
また、照明制御サーバ３０は、地震の発生を認識した場合であって全ての部屋７１において人の存在を認識しないときに建物７０への電気の供給ブレーカ６１に停止させるので、地震時に漏電火災等による被害の拡大を防止することができる。
【００４６】
また、照明制御サーバ３０は、地震発生通知サーバ２０からネットワーク１１を介して受信した地震の発生の通知に基づいて地震の発生を認識するようになっているので、例えば気象庁、水道局、ガス会社、電力会社等の信頼性の高い組織の地震発生通知サーバ２０からの通知に基づいて地震の発生を認識することができる。
【００４７】
また、地震時照明制御システム１０は、Ｐ波の発生によって地震の発生を検知するようになっているので、地震の初期段階で照明制御サーバ３０が迅速に動作を開始することができる。
【００４８】
なお、照明制御サーバ３０は、人感センサ４１の検出結果に基づいて各部屋７１における人の存在を認識するようになっているが、各部屋７１に設置された監視カメラからの映像に基づいて各部屋７１における人の存在を認識するようになっていても良い。
【００４９】
また、地震時照明制御システム１０は、Ｐ波の発生によって地震の発生を検知する以外の方法によって地震の発生を検知するようになっていても良い。例えば、地震時照明制御システム１０は、地震波のうちＳ波の発生によって地震の発生を検知するようになっていても良い。
【００５０】
また、地震時照明制御システム１０は、災害として地震に対応しているが、地震以外の災害に対応していても良い。例えば、地震時照明制御システム１０は、災害として津波、台風、雷等に対応していても良い。
【００５１】
（第２の実施の形態）
まず、第２の実施の形態に係る災害時照明制御システムの構成について説明する。
【００５２】
なお、本実施の形態に係る災害時照明制御システムの構成のうち第１の実施の形態に係る地震時照明制御システム１０（図１参照。）の構成と同様の構成については、地震時照明制御システム１０の構成と同一の符号を付して詳細な説明を省略する。
【００５３】
図３に示すように、本実施の形態に係る災害時照明制御システムとしての地震時照明制御システム１１０の構成は、建物７０に設置されて建物７０における照明機器を制御する照明制御サーバ１３０と、建物７０に設置されて建物７０における地震の発生を検知する地震センサ１４０とを地震発生通知サーバ２０（図１参照。）及び照明制御サーバ３０（図１参照。）に代えて地震時照明制御システム１０が備えた構成と同様である。
【００５４】
なお、照明制御サーバ１３０は、地震発生通知サーバ２０から受信した通知に基づいて建物７０における地震の発生を認識するのではなく、地震センサ１４０の検出結果に基づいて地震の発生を認識するようになっていることを除いて、照明制御サーバ３０と同様な構成である。
【００５５】
次に、地震時照明制御システム１１０の動作について説明する。
【００５６】
地震の発生によってＰ波が発生すると、地震センサ１４０は、Ｐ波の発生を検知することによって地震の発生を検知する。
【００５７】
地震センサ１４０が地震の発生を検知すると、照明制御サーバ１３０は、地震センサ１４０の検出結果に基づいて地震の発生を認識し、建物７０における地震の発生を認識したとＳ８１（図２参照。）において判断する。
【００５８】
地震時照明制御システム１１０の以降の動作は、第１の実施の形態に係る地震時照明制御システム１０（図１参照。）の動作と同様であるので、説明を省略する。
【００５９】
以上に説明したように、照明制御サーバ１３０は、第１の実施の形態に係る地震発生通知サーバ２０（図１参照。）のような地震発生通知サーバと通信ができない状態であっても動作することができる。
【図面の簡単な説明】
【００６０】
【図１】本発明の第１の実施の形態に係る災害時照明制御システムのブロック図である。
【図２】図１に示す災害時照明制御システムの照明制御サーバの動作のフローチャートである。
【図３】本発明の第２の実施の形態に係る災害時照明制御システムのブロック図である。
【符号の説明】
【００６１】
１０    地震時照明制御システム（災害時照明制御システム）
２０    地震発生通知サーバ（災害発生通知サーバ）
３０    照明制御サーバ（受信手段、災害発生認識手段、人存在認識手段、機器制御手段、ブレーカ作動手段）
５１    照明機器
６１    ブレーカ
７０    建物
７１    部屋
１１０    地震時照明制御システム（災害時照明制御システム）
１３０    照明制御サーバ（受信手段、災害発生認識手段、人存在認識手段、機器制御手段、ブレーカ作動手段）
１４０    地震センサ
【図１】
0004664197.tif 000002
【図２】
0004664197.tif 000003
【図３】
0004664197.tif 000004